(57)【要約】【課題】  伝統的な回転輪マウスの具備するすべての機能を具えているほか完全な小型化を達成でき、製造コストが低く、組立に便利な入力装置の提供。【解決手段】  支持座（１０）と、支持座（１０）の上方に支持、配置され且つ支持座（１０）に対して垂直に回転、左右傾斜移動及び上下移動可能である回転体（２０）と、支持座（１０）の上に支持、配置され並びに回転体（２０）の受力移動位置まで延伸され、少なくとも二つの隣り合う端子ピンを具えて回転体（２０）の移動に対応してこれら端子ピン（２０）が相互に接触し命令信号を出力する、端子式命令機構と、を具えたことを特徴とする。【選択図】        図５
2006119800.tif 000002
【特許請求の範囲】
【請求項１】
電子入力装置に配置される入力装置において、
支持座（１０）と、
支持座（１０）の上方に支持、配置され且つ支持座（１０）に対して垂直に回転、左右傾斜移動及び上下移動可能である回転体（２０）と、
支持座（１０）の上に支持、配置され並びに回転体（２０）の受力移動位置まで延伸され、少なくとも二つの隣り合う端子ピンを具えて回転体（２０）の移動に対応してこれら端子ピン（２０）が相互に接触し命令信号を出力する、端子式命令機構と、
を具えたことを特徴とする、入力装置。
【請求項２】
請求項１記載の入力装置において、回転体（２０）が、回転輪（２１）と、該回転輪（２１）を貫通する軸（２２）とを具え、支持座（１０）が軸（２２）に接続される二つの支持部（１１）を具えたことを特徴とする、入力装置。
【請求項３】
請求項１記載の入力装置において、回転体（２０）の受力移動位置が支持座（１０）に垂直に回転する回転行程、支持座（１０）に対して傾斜移動する揺動行程及び支持座（１０）に対して上下移動する押圧行程を包含することを特徴とする、入力装置。
【請求項４】
請求項１記載の入力装置において、回転行程に位置する端子式命令機構が共同端子ピン（３３）及び共同端子ピン（３３）の２側に位置する順方向端子ピン（３１）及び逆方向端子ピン（３２）を具え、且つ回転体（２０）が凹部（２４）、凸部（２３）が交互に配置された回転面を具え、回転体（２０）が順方向回転行程を発生すると、凸部（２３）が順方向端子ピン（３１）を押動して共同端子ピン（３３）と接触させて順方向命令を発生させ、並びに回転体（２０）が逆方向回転を発生すると、凸部（２３）が逆方向端子ピン（３２）を押動して共同端子ピン（３３）と接触させて逆方向命令を発生させることを特徴とする、入力装置。
【請求項５】
請求項１記載の入力装置において、揺動行程に位置する端子式命令機構が回転体（２０）の傾斜に連動する第１端子ピン（４１）と回転体（２０）の揺動行程移動度に対して第１端子ピン（４１）に近接する第２端子ピン（４２）を具え、回転体（２０）の左向きの傾斜に連動して第１端子ピン（４１）が第２端子ピン（４２）に接触して左向き命令が発生し、回転体（２０）の右向き傾斜に連動して第１端子ピン（４１）が第２端子ピン（４２）に接触して右向き命令が発生し、該左向き命令と右向き命令が共同で回転体（２０）の押圧行程の押圧命令を発生することを特徴とする、入力装置。
【請求項６】
請求項５記載の入力装置において、回転体（２０）より第１端子ピン（４１）と第２端子ピン（４２）の間に位置する手部感覚シート（４３）が延伸されたことを特徴とする、入力装置。
【請求項７】
請求項５記載の入力装置において、第１端子ピン（４１）が折り曲げられて弾性コイル部（４１１）を具え、第１端子ピン（４１）の弾性コイル部（４１１）から第２端子ピン（４２）の前段が回復弾性力を具備したことを特徴とする、入力装置。
【請求項８】
請求項５記載の入力装置において、第１端子ピン（４１）が回転体（２０）を貫通し、回転体（２０）が支持座（１０）の上方に支持、配置されたことを特徴とする、入力装置。
【請求項９】
電子入力装置に配置される入力装置であり、該入力装置は、電子入力装置に支持されそれに対して回転、左右傾斜移動及び上下移動行程を発生する回転体（２０）を具え、任意の回転体（２０）の移動行程範囲内にあって、該入力装置は回転体（２０）の移動により駆動されて命令を発生する命令機構を具えている上記入力装置において、
該命令機構は隣り合う機械式端子ピンが相互に接触することで命令を発生することを特徴とする、入力装置。
【発明の詳細な説明】
【技術分野】
【０００１】
本発明は一種の入力装置に係り、特に、命令信号を発生して例えばディスプレイスクリーン上の画像スクロール、ジャンプ命令ウインドウ選択クイック命令を制御する入力装置に関する。
【背景技術】
【０００２】
現在、スクロール式マウスは、マウスの左と右のボタンの間に回転輪の設計が設けられ、この回転輪は使用者が文章を観る時（例えば小説や資料等）を観る時、ページ数が比較的長いために、使用者がさらにキーボード上のページダウン（ＰＡＧＥ  ＤＯＷＮ）キーを押すか或いはマウスカーソルをスクリーンの右側スクロール軸に移動させて左ボタンでページジャンプする等の煩瑣な動作を行わねばならない事態を防止し、直接回転輪を上下に回転させることでページジャンプ或いは行ジャンプの機能を達成できるようにするために設けられている。則ち、回転輪はスクリーン中の右側スクロール軸の機能の代わりを果たし、使用者の操作に更に便利である。
【０００３】
図１は本件出願人がすでに提出したマウスの設計に対する改良を示し、その改良点は、スクリーンスクロール軸設計にあり、右側上下縦移動機能を有するだけでなく、スクリーン下方に更に左右横移動機能のスクロール軸設計が設けられ、特にエクセル（ＥＸＣＥＬ）或いはアクセス（ＡＣＣＥＳＳ）等表計算ソフト或いはネットワークホームページに適用される。表のフィールドが過長であると、使用者は単純にスクロール軸操作を行うだけでは十分でなく、且つ一般にキーボード上には横移動機能に対応するキーはないため、使用者はマウスをスクロール軸部分に移動させてから更に左ボタンを押して操作しなければならない。このためもとの回転輪設計の長所が抹消される。このためこの案は、直接マウス上の回転輪、左右ボタン及び左右方向キーを利用してスイッチオンオフ信号を出力してマウスカーソルを実行或いは観る位置に移動させ、マウスを移動させる操作を行わなくてもよいものとしている。
【０００４】
この設計のほか、図２を参照されたい。それはマイクロソフト（登録商標）社が推進しているティルトホイール（ＴＩＬＴ  ＷＨＥＥＬ）技術のマウス製品を示す。この製品はスイングシートと回転輪が固定され、スイングシートが回転輪に伴い左右に揺動してスイングシートの２側に位置するプッシュスイッチに接触することで、対応する命令を出力する。ただし図中に明らかに示されるように、この製品は複雑な設計のスイングシートを必要とし、設計及び組立上、相当に困難であるほか、スイングシートとプッシュスイッチの増加によりマウス全体体積の縮減ができなくなる。このため、このような製品は大型のマウス製品にのみ適用可能である。
【０００５】
前述の二案の設計中、明らかに分かることは、現在の産業技術は命令出力発生面で、依然としてプッシュスイッチに固執していることである。ただし、プッシュスイッチは製造コストが比較的高いほか、現在のマウスの小型化設計傾向に対してプッシュスイッチがマウス内部で必要とする体積は需要に符合しない。このため、市場の各マウス設計上、中大型マウスのみがこのような設計を運用できる。応用面では回転輪設計を具えたキーボード或いはリモコンなどに運用することはできず、その原因は、キーボード及びリモコンなどの電子製品の収容できるローラー位置は制限されるためである。このためいかに体積が小さく、製造コストが低く、且つ組立が容易な設計の回転輪と命令スイッチを発明するかが現在の産業の主要な設計の重点となっている。
【０００６】
特許文献１は圧力検出方式によりスクリーン上の画像スクロール効果を達成しており、特許文献２はラスタスイッチで回転輪回転を検出して画像スクロール効果を達成している。これら２件中にはいずれも伝統的な設計が見られ、光電式スイッチ設計より離脱しておらず、設計コストが高く且つ必要な製造空間も大きく、現在の回転輪モジュールの小型化傾向に符合しない。
【０００７】
【特許文献１】米国特許第６７００５６４号明細書
【特許文献２】米国特許第６１８８３８９号明細書
【発明の開示】
【発明が解決しようとする課題】
【０００８】
本発明の主要な目的は、上述の欠点を解決し、欠点を存在を回避することにあり、本発明は一種の、製造コストが最低で、組立が簡易な端子ピン設計を伝統的なラスタスイッチ、命令スイッチなどの高製造コストで複雑な設計の代わりに提供する。本発明の入力装置は支持されて回転、左右傾斜移動及び上下移動行程を発生する回転体、及び任意の移動行程範囲内に位置し、並びに該回転体移動に連動して命令を発生する命令機構を具え、該命令機構は隣り合う機械式端子ピンの相互接触により命令信号を発生し出力する。
【課題を解決するための手段】
【０００９】
請求項１の発明は、電子入力装置に配置される入力装置において、
支持座（１０）と、
支持座（１０）の上方に支持、配置され且つ支持座（１０）に対して垂直に回転、左右傾斜移動及び上下移動可能である回転体（２０）と、
支持座（１０）の上に支持、配置され並びに回転体（２０）の受力移動位置まで延伸され、少なくとも二つの隣り合う端子ピンを具えて回転体（２０）の移動に対応してこれら端子ピン（２０）が相互に接触し命令信号を出力する、端子式命令機構と、
を具えたことを特徴とする、入力装置としている。
請求項２の発明は、請求項１記載の入力装置において、回転体（２０）が、回転輪（２１）と、該回転輪（２１）を貫通する軸（２２）とを具え、支持座（１０）が軸（２２）に接続される二つの支持部（１１）を具えたことを特徴とする、入力装置としている。
請求項３の発明は、請求項１記載の入力装置において、回転体（２０）の受力移動位置が支持座（１０）に垂直に回転する回転行程、支持座（１０）に対して傾斜移動する揺動行程及び支持座（１０）に対して上下移動する押圧行程を包含することを特徴とする、入力装置としている。
請求項４の発明は、請求項１記載の入力装置において、回転行程に位置する端子式命令機構が共同端子ピン（３３）及び共同端子ピン（３３）の２側に位置する順方向端子ピン（３１）及び逆方向端子ピン（３２）を具え、且つ回転体（２０）が凹部（２４）、凸部（２３）が交互に配置された回転面を具え、回転体（２０）が順方向回転行程を発生すると、凸部（２３）が順方向端子ピン（３１）を押動して共同端子ピン（３３）と接触させて順方向命令を発生させ、並びに回転体（２０）が逆方向回転を発生すると、凸部（２３）が逆方向端子ピン（３２）を押動して共同端子ピン（３３）と接触させて逆方向命令を発生させることを特徴とする、入力装置としている。
請求項５の発明は、請求項１記載の入力装置において、揺動行程に位置する端子式命令機構が回転体（２０）の傾斜に連動する第１端子ピン（４１）と回転体（２０）の揺動行程移動度に対して第１端子ピン（４１）に近接する第２端子ピン（４２）を具え、回転体（２０）の左向きの傾斜に連動して第１端子ピン（４１）が第２端子ピン（４２）に接触して左向き命令が発生し、回転体（２０）の右向き傾斜に連動して第１端子ピン（４１）が第２端子ピン（４２）に接触して右向き命令が発生し、該左向き命令と右向き命令が共同で回転体（２０）の押圧行程の押圧命令を発生することを特徴とする、入力装置としている。
請求項６の発明は、請求項５記載の入力装置において、回転体（２０）より第１端子ピン（４１）と第２端子ピン（４２）の間に位置する手部感覚シート（４３）が延伸されたことを特徴とする、入力装置としている。
請求項７の発明は、請求項５記載の入力装置において、第１端子ピン（４１）が折り曲げられて弾性コイル部（４１１）を具え、第１端子ピン（４１）の弾性コイル部（４１１）から第２端子ピン（４２）の前段が回復弾性力を具備したことを特徴とする、入力装置としている。
請求項８の発明は、請求項５記載の入力装置において、第１端子ピン（４１）が回転体（２０）を貫通し、回転体（２０）が支持座（１０）の上方に支持、配置されたことを特徴とする、入力装置としている。
請求項９の発明は、電子入力装置に配置される入力装置であり、該入力装置は、電子入力装置に支持されそれに対して回転、左右傾斜移動及び上下移動行程を発生する回転体（２０）を具え、任意の回転体（２０）の移動行程範囲内にあって、該入力装置は回転体（２０）の移動により駆動されて命令を発生する命令機構を具えている上記入力装置において、
該命令機構は隣り合う機械式端子ピンが相互に接触することで命令を発生することを特徴とする、入力装置としている。
【発明の効果】
【００１０】
本発明は単純な機械式端子ピン構造を以て伝統的なラスタ或いは命令スイッチの設計の代わりとし、端子式命令機構の発生する順方向命令及び逆方向命令はスクリーンの垂直軸として用いられ、画像の垂直スクロールを達成し、左向き命令及び右向き命令はスクリーンの水平軸とされて画像の水平スクロールを達成し、また特殊な命令処理を行え、このほか、押圧命令はクイック命令或いはジャンプ命令ウインドウなどの機能を有し、これにより、本発明は伝統的な回転輪マウスの具備するすべての機能を具えているほか完全な小型化を達成でき、製造コストが低く、組立に便利な効果を有している。
【発明を実施するための最良の形態】
【００１１】
図３、４、５は本発明の外観立体図、底面から見た外観立体図、及び構造分解図である。図示されるように、本発明は電子入力装置に配置され、いわゆる電子入力装置とは、例えば図１３のようなマウス（５０）、或いは図１４のようなキーボード（６０）等の命令を入力できる電子製品とされる。この入力装置は、支持座（１０）、支持座（１０）の上方に支持され且つ支持座（１０）に対して垂直に回転、左右傾斜移動、及び上下移動可能な回転体（２０）、及び支持座（１０）に支持され並びに回転体（２０）の受力移動位置まで延伸された端子式命令機構を具え、該端子式命令機構は少なくとも二つの隣り合う端子ピンを具え、この端子ピンが回転体（２０）に対応して移動し相互に接触することで命令信号出力を発生する。
【００１２】
該回転体（２０）は、回転輪（２１）及び回転輪（２１）を貫通する軸（２２）を具え、且つ支持座（１０）は二つの支持部（１１）を具えて軸（２２）に接続され、該支持部（１１）は活動溝（１１１）を具え活動溝（１１１）の上部はクローズ端とされている。
【００１３】
該回転体（２０）の受力移動位置は支持座（１０）に垂直に回転する回転行程、支持座（１０）に対して傾斜移動する揺動行程、及び支持座（１０）に対して上下移動する押圧行程を包含する。図６に示されるように、回転行程に位置する端子式命令機構は共同端子ピン（３３）と共同端子ピン（３３）の２側に位置する順方向端子ピン（３１）と逆方向端子ピン（３２）を具え、且つ回転体（２０）に凹部（２４）、凸部（２３）が交互に設けられた回転面が設けられている。図７から図９に示されるように、回転体（２０）が順方向回転行程を発生して、凸部（２３）が順方向端子ピン（３１）を押動して共同端子ピン（３３）に接触させて順方向命令を発生させ、並びに回転体（２０）が逆方向回転行程を発生すると、凸部（２３）が逆方向端子ピン（３２）を押動して共同端子ピン（３３）に接触させて逆方向命令を発生させる。
【００１４】
図１０から図１２に示されるように、揺動行程に位置する端子式命令機構は回転体（２０）の傾斜に連動する第１端子ピン（４１）と回転体（２０）の揺動行程移動度に対して第１端子ピン（４１）に接近する第２端子ピン（４２）を具え、回転体（２０）の左向き傾斜に連動して第１端子ピン（４１）が第２端子ピン（４２）に接触して左向き命令を発生し、回転体（２０）の右向き傾斜に連動して第１端子ピン（４１）が第２端子ピン（４２）に接触して右向き命令を発生する。該回転体（２０）より第１端子ピン（４１）と第２端子ピン（４２）の間に位置する手部感覚シート（４３）が延伸され、回転体（２０）が力を受けて下向きに移動し押圧行程を発生する時、該左向き命令及び右向き命令が共同でで回転体（２０）押圧行程の押圧命令を発生する。このほか、回転体（２０）が左右に傾斜揺動するか或いは下向きに押圧されるいずれの場合も、第１端子ピン（４１）と第２端子ピン（４２）の間に手部感覚シート（４３）が設けられているため、使用者が前述の回転体（２０）を移動させる時、回転体（２０）の移動の手部感覚を得られる。
【００１５】
上述の共同端子ピン（３３）、順方向端子ピン（３１）、逆方向端子ピン（３２）、第１端子ピン（４１）、第２端子ピン（４２）はいずれも支持座（１０）に対応して設けられた位置決め部（１３）、（１４）、（１５）、（１６）、（１８）及び支持部（１７）、（１９）により、しっかりと位置決め及び支持され、且つ第１端子ピン（４１）は折り曲げられて弾性コイル部（４１１）を具え、第１端子ピン（４１）の弾性コイル部（４１１）から第２端子ピン（４２）の前段が回復弾性力を具え、これにより第１端子ピン（４１）が回転体（２０）を支持して回転体（２０）を支持座（１０）上方に支持、配置されるようにして回転行程を実行させ、回転体（２０）が力を受けて傾斜する揺動行程及び押圧行程中に、第１端子ピン（４１）の回復弾力により回転体（２０）が位置を回復するものとされている。
【図面の簡単な説明】
【００１６】
【図１】周知のマウスの外観立体図である。
【図２】もう一つの周知のマウスの立体図である。
【図３】本発明の外観立体図である。
【図４】本発明の底面から見た外観立体図である。
【図５】本発明の構造分解図である。
【図６】本発明の局部組合せ表示図である。
【図７】本発明の回転行程動作表示図である。
【図８】本発明の回転行程動作表示図である。
【図９】本発明の回転行程動作表示図である。
【図１０】発明の揺動行程及び押圧行程作動図である。
【図１１】発明の揺動行程及び押圧行程作動図である。
【図１２】発明の揺動行程及び押圧行程作動図である。
【図１３】発明のマウスへの応用表示図である。
【図１４】発明のキーボードへの応用表示図である。
【符号の説明】
【００１７】
（１０）支持座
（１１）支持部
（１１１）活動軸
（１３）、（１４）、（１５）、（１６）、（１８）位置決め部
（１７）、（１９）支持部
（２０）回転体
（２１）回転輪
（２２）軸
（２３）凸部
（２４）凹部
（３１）順方向端子ピン
（３２）逆方向端子ピン
（３３）共同端子ピン
（４１）第１端子ピン
（４１１）弾性コイル部
（４２）第２端子ピン
（４３）手部感覚シート
（５０）マウス
（６０）キーボード
【図１】
2006119800.tif 000003
【図２】
2006119800.tif 000004
【図３】
2006119800.tif 000005
【図４】
2006119800.tif 000006
【図５】
2006119800.tif 000007
【図６】
2006119800.tif 000008
【図７】
2006119800.tif 000009
【図８】
2006119800.tif 000010
【図９】
2006119800.tif 000011
【図１０】
2006119800.tif 000012
【図１１】
2006119800.tif 000013
【図１２】
2006119800.tif 000014
【図１３】
2006119800.tif 000015
【図１４】
2006119800.tif 000016